(57)【要約】【課題】比較的複雑な構造を有する建築物等の構築体をパイプを結合して容易に構築できる継手を提供する。【解決手段】一方の筒状体１の側部に他方の筒状体２の端部が８０度乃至１５０度のうちのいずれかの角度で固着された継手Ａ、８０度乃至１５０度のうちのいずれかの角度に折曲された一方の筒状体５の折曲部に他方の筒状体６の端部が固着されている継手Ｂ、一方の筒状体５は、９０度の角度で折曲され、他方の筒状体６は、一方の筒状体５の両端方向に対して夫々９０度の角度となるように一方の筒状体の折曲部５ａに固着されている継手Ｃ等を提供する。【選択図】図１
2008019701.tif 000002
【特許請求の範囲】
【請求項１】
一方の筒状体の側部に他方の筒状体の端部が所定の角度で固着されたことを特徴とする継手。
【請求項２】
前記一方の筒状体に他方の筒状体が８０度乃至１５０度のうちのいずれかの角度で固着されていることを特徴とする請求項１記載の継手。
【請求項３】
所定の角度で折曲された一方の筒状体の折曲部に他方の筒状体の端部が固着されていることを特徴とする継手。
【請求項４】
前記一方の筒状体は、８０度乃至１５０度のうちのいずれかの角度で折曲されていることを特徴とする請求項３記載の継手。
【請求項５】
前記一方の筒状体は、９０度の角度で折曲され、前記他方の筒状体は、前記一方の筒状体の両端方向に対して夫々９０度の角度となるように前記一方の筒状体の折曲部に固着されていることを特徴とする請求項３記載の継手。
【請求項６】
筒状体の側面に筋交い取付け用の有孔フィンを設けたことを特徴とする継手。
【請求項７】
所定の角度で折曲された一方の筒状体の端部が他方の筒状体の側面に固着されていることを特徴とする継手。
【請求項８】
筒状体の両端の開口寸法が異なるように形成したことを特徴とする継手。
【請求項９】
一方の筒状体内に他方の筒状体が摺動自在に設けられることを特徴とする継手。
【請求項１０】
前記筒状体の端部近傍にピンまたはボルト貫通孔を開穿したことを特徴とする請求項１乃至９のうちいずれか一に記載の継手。
【請求項１１】
前記筒状体は、円筒体、又は、角筒体であることを特徴とする請求項１乃至１０のうちいずれか一に記載の継手。
【請求項１２】
前記請求項１乃至１１に記載の少なくとも１つの継手と、１乃至複数のパイプとを組合わせて構築したことを特徴とする継手を用いた構築体。
【請求項１３】
円筒状又は丸棒状の支柱と、
前記支柱の上端を下端から挿着させる中央パイプと前記中央パイプの上端から所定角度を有して斜め下方に向かって放射状に延出する複数本の枝パイプとが一体に形成された天井継手と、
前記枝パイプに上端を挿着させて放射方向に延びる複数本の屋根パイプと、
前記屋根パイプを貫通させる貫通パイプと前記貫通パイプの周面に所定角度を有して上端を固着された下部パイプとからなるＴ字形揺動継手と、
前記支柱を貫通させる中央パイプと、前記中央パイプの周面から所定角度を有して斜め上方に向かって放射状に延出する複数本の枝パイプとが一体に形成された支え継手と、
前記Ｔ字形継手の下部パイプに上端を挿着し、前記支え継手の枝パイプに下端を挿着される支持パイプと、
前記支柱に設けられ、前記支え継手を前記支柱の所定位置に保持するストッパーとを備えたことを特徴とする継手を用いた構築体。
【請求項１４】
円筒状又は丸棒状の支柱と、
前記支柱の上端に固着される天井部材と、
前記天井部材に上端を揺動自在に固着され、揺動して開いた時、前記支柱に対して所定角度を有して斜め下方に向かって放射方向に延びる複数本の屋根パイプと、
前記屋根パイプを貫通させる貫通パイプと前記貫通パイプの周面に上端を揺動自在に固着された下部パイプとからなるＴ字形揺動継手と、
前記支柱に摺動自在に設けられる摺動体と、
前記摺動体に下端を揺動自在に固着され、前記下部パイプに上端を挿着される支持パイプと、
前記支柱に設けられ、前記摺動体を前記支柱の所定位置に保持するストッパーとを備え、前記摺動体を摺動させることにより、前記屋根パイプを開閉自在に構成したことを特徴とする継手を用いた構築体。
【請求項１５】
円筒状又は丸棒状の支柱と、
前記支柱の上端を下端から挿着させる中央パイプと前記中央パイプの上端から所定角度を有して斜め下方に向かって放射状に延出する複数本の枝パイプとが一体に形成された天井継手と、
前記枝パイプに上端を挿着させて放射方向に延びる複数本の屋根パイプと、
前記屋根パイプを貫通させる貫通パイプと前記貫通パイプの周面に所定角度を有して上端を固着された下部パイプとが一体に形成されたＴ字形継手と、
前記支柱を貫通させる中央パイプと、前記中央パイプの周面から所定角度を有して斜め上方に向かって放射状に延出する複数本の枝パイプとが一体に形成された支え継手と、
前記Ｔ字形継手の下部パイプに上端を挿着し、前記支え継手の枝パイプに下端を挿着される支持パイプと、
前記支柱に設けられ、前記支え継手を前記支柱の所定位置に保持するストッパーと、
前記屋根パイプの下端部を上端部から挿着させる上部パイプと前記上部パイプの下端部に所定角度を有して下方向に延びる下部パイプとが一体に形成された屋根先端継手と、
前記屋根先端継手に上端部が挿着される複数の側柱とを備えたことを特徴とする継手を用いた構築体。
【請求項１６】
円筒状又は丸棒状の支柱と、
前記支柱の上端を下端から挿着させる中央パイプと前記中央パイプの上端から所定角度を有して斜め下方に向かって放射状に延出する複数本の枝パイプとが一体に形成された天井継手と、
前記枝パイプに上端を挿着させて放射方向に延びる複数本の屋根パイプと、
前記屋根パイプの下端部を上端部から挿着させる上部パイプと前記上部パイプの下端部に所定角度を有して下方向に延びる下部パイプと水平方向に延びる左右パイプとが一体に形成された屋根先端継手と、
前記屋根先端継手に上端部が挿着される複数の側柱と、
隣接する屋根先端継手の左右パイプに両端が挿着される梁パイプとを備えたことを特徴とする継手を用いた構築体。
【発明の詳細な説明】
【技術分野】
【０００１】
本発明は、継手及び継手を用いた構築体に関し、特に、パイプを結合して構築体を組立てるための継手及び継手を用いてパイプを結合した構築体に関するものである。
【背景技術】
【０００２】
此種従来のパイプを結合して構築体を組立てるための簡素な継手は、一般に市販されている。
それらの継手とパイプによって、配管を組んだり、直線状の構築体、平面状の構築体、又は、立体状の構築体を組立てることが可能である。
例えば、継手とパイプによって、棚、台等の簡易構築体を比較的自由に、且つ、容易に構築可能である。
尚、本発明に関連する公知技術文献としては下記の特許文献１及び２がある。
【特許文献１】特開平９−６０７８４号公報
【特許文献２】特開平７−２２３２６１号公報
【発明の開示】
【発明が解決しようとする課題】
【０００３】
前述したように、継手とパイプによって棚、台等の簡易構築体を比較的自由に、且つ、容易に構築可能であるが、更に、比較的複雑な構造を有する、例えば、建築物等の構築体を容易に構築することも望まれている。
然しながら、従来の市販されている簡素な継手は、その種類が限られており、市販されている継手とパイプによって建築物等の構築体を容易に構築することは困難である。
【０００４】
以上の現状に鑑み、本発明は、比較的複雑な構造を有する建築物等の構築体をパイプを結合して容易に構築できる継手、及び、その継手を用いてパイプを結合した比較的複雑な構造を有する建築物等の構築体を提供することを目的とする。
【課題を解決するための手段】
【０００５】
上記の課題を解決すべく、本発明は以下の構成を提供する。
請求項１に係る発明は、一方の筒状体の側部に他方の筒状体の端部が所定の角度で固着されたことを特徴とする継手を提供するものである。
請求項２に係る発明は、前記一方の筒状体に他方の筒状体が８０度乃至１５０度のうちのいずれかの角度で固着されていることを特徴とする請求項１記載の継手を提供するものである。
請求項３に係る発明は、所定の角度で折曲された一方の筒状体の折曲部に他方の筒状体の端部が固着されていることを特徴とする継手を提供するものである。
【０００６】
請求項４に係る発明は、前記一方の筒状体は、８０度乃至１５０度のうちのいずれかの角度で折曲されていることを特徴とする請求項３記載の継手を提供するものである。
請求項５に係る発明は、前記一方の筒状体は、９０度の角度で折曲され、前記他方の筒状体は、前記一方の筒状体の両端方向に対して夫々９０度の角度となるように前記一方の筒状体の折曲部に固着されていることを特徴とする請求項３記載の継手を提供するものである。
請求項６に係る発明は、筒状体の側面に筋交い取付け用の有孔フィンを設けたことを特徴とする継手を提供するものである。
【０００７】
請求項７に係る発明は、所定の角度で折曲された一方の筒状体の端部が他方の筒状体の側面に固着されていることを特徴とする継手を提供するものである。
請求項８に係る発明は、筒状体の両端の開口寸法が異なるように形成したことを特徴とする継手を提供するものである。
請求項９に係る発明は、一方の筒状体内に他方の筒状体が摺動自在に設けられることを特徴とする継手を提供するものである。
【０００８】
請求項１０に係る発明は、前記筒状体の端部近傍にピンまたはボルト貫通孔を開穿したことを特徴とする請求項１乃至９のうちいずれか一に記載の継手を提供するものである。
請求項１１に係る発明は、前記筒状体は、円筒体、又は、角筒体であることを特徴とする請求項１乃至１０のうちいずれか一に記載の継手を提供するものである。
【０００９】
請求項１２に係る発明は、前記請求項１乃至１１に記載の少なくとも１つの継手と、１乃至複数のパイプとを組合わせて構築したことを特徴とする構築体を提供するものである。
【００１０】
請求項１３に係る発明は、円筒状又は丸棒状の支柱と、
前記支柱の上端を下端から挿着させる中央パイプと前記中央パイプの上端から所定角度を有して斜め下方に向かって放射状に延出する複数本の枝パイプとが一体に形成された天井継手と、
前記枝パイプに上端を挿着させて放射方向に延びる複数本の屋根パイプと、
前記屋根パイプを貫通させる貫通パイプと前記貫通パイプの周面に所定角度を有して上端を固着された下部パイプとが一体に形成されたＴ字形継手と、
前記支柱を貫通させる中央パイプと、前記中央パイプの周面から所定角度を有して斜め上方に向かって放射状に延出する複数本の枝パイプとが一体に形成された支え継手と、
前記Ｔ字形継手の下部パイプに上端を挿着し、前記支え継手の枝パイプに下端を挿着される支持パイプと、
前記支柱に設けられ、前記支え継手を前記支柱の所定位置に保持するストッパーとを備えたことを特徴とする継手を用いた構築体を提供するものである。
【００１１】
請求項１４に係る発明は、円筒状又は丸棒状の支柱と、
前記支柱の上端に固着される天井部材と、
前記天井部材に上端を揺動自在に固着され、揺動して開いた時、前記支柱に対して所定角度を有して斜め下方に向かって放射方向に延びる複数本の屋根パイプと、
前記屋根パイプを貫通させる貫通パイプと前記貫通パイプの周面に上端を揺動自在に固着された下部パイプとからなるＴ字形揺動継手と、
前記支柱に摺動自在に設けられる摺動体と、
前記摺動体に下端を揺動自在に固着され、前記下部パイプに上端を挿着される支持パイプと、
前記支柱に設けられ、前記摺動体を前記支柱の所定位置に保持するストッパーとを備え、前記摺動体を摺動させることにより、前記屋根パイプを開閉自在に構成したことを特徴とする継手を用いた構築体を提供するものである。
【００１２】
請求項１５に係る発明は、円筒状又は丸棒状の支柱と、
前記支柱の上端を下端から挿着させる中央パイプと前記中央パイプの上端から所定角度を有して斜め下方に向かって放射状に延出する複数本の枝パイプとが一体に形成された天井継手と、
前記枝パイプに上端を挿着させて放射方向に延びる複数本の屋根パイプと、
前記屋根パイプを貫通させる貫通パイプと前記貫通パイプの周面に所定角度を有して上端を固着された下部パイプとが一体に形成されたＴ字形継手と、
前記支柱を貫通させる中央パイプと、前記中央パイプの周面から所定角度を有して斜め上方に向かって放射状に延出する複数本の枝パイプとが一体に形成された支え継手と、
前記Ｔ字形継手の下部パイプに上端を挿着し、前記支え継手の枝パイプに下端を挿着される支持パイプと、
前記支柱に設けられ、前記支え継手を前記支柱の所定位置に保持するストッパーと、
前記屋根パイプの下端部を上端部から挿着させる上部パイプと前記上部パイプの下端部に所定角度を有して下方向に延びる下部パイプとが一体に形成された屋根先端継手と、
前記屋根先端継手に上端部が挿着される複数の側柱とを備えたことを特徴とする継手を用いた構築体を提供するものである。
【００１３】
請求項１６に係る発明は、円筒状又は丸棒状の支柱と、
前記支柱の上端を下端から挿着させる中央パイプと前記中央パイプの上端から所定角度を有して斜め下方に向かって放射状に延出する複数本の枝パイプとが一体に形成された天井継手と、
前記枝パイプに上端を挿着させて放射方向に延びる複数本の屋根パイプと、
前記屋根パイプの下端部を上端部から挿着させる上部パイプと前記上部パイプの下端部に所定角度を有して下方向に延びる下部パイプと水平方向に延びる左右パイプとが一体に形成された屋根先端継手と、
前記屋根先端継手に上端部が挿着される複数の側柱と、
隣接する屋根先端継手の左右パイプに両端が挿着される梁パイプとを備えたことを特徴とする継手を用いた構築体を提供するものである。
【発明の効果】
【００１４】
本発明の請求項１記載の発明によれば、一方の筒状体の側部に他方の筒状体の端部が所定の角度で固着された継手を提供するので、２本のパイプを相互に所定角度傾斜させて結合することができる。
【００１５】
請求項２記載の発明によれば、前記一方の筒状体に他方の筒状体が８０度乃至１５０度のうちのいずれかの角度で固着されているので、請求項１記載の発明の効果に加え、２本のパイプを相互に８０度乃至１５０度のうちのいずれかの角度に傾斜させて結合することができる。
【００１６】
請求項３記載の発明によれば、所定の角度で折曲された一方の筒状体の折曲部に他方の筒状体の端部が固着されている継手を提供するので、２本のパイプを相互に所定角度傾斜させて結合することができると共に、もう１本のパイプを一方の筒状体の折曲部に結合することができる。
【００１７】
請求項４記載の発明によれば、前記一方の筒状体は、８０度乃至１５０度のうちのいずれかの角度で折曲されているので、請求項３記載の発明の効果に加え、２本のパイプを相互に８０度乃至１５０度のうちのいずれかの角度に傾斜させて結合することができると共に、もう１本のパイプを一方の筒状体の折曲部に結合することができる。
【００１８】
請求項５記載の発明によれば、前記一方の筒状体は、９０度の角度で折曲され、前記他方の筒状体は、前記一方の筒状体の両端方向に対して夫々９０度の角度となるように前記一方の筒状体の折曲部に固着されているので、請求項３記載の発明の効果に加え、２本のパイプを相互に９０度に傾斜させて結合することができると共に、他の１本のパイプを前記２本のパイプに対して夫々９０度の角度となるように結合することができる。
【００１９】
請求項６記載の発明によれば、筒状体の側面に筋交い取付け用の有孔フィンを設けた継手を提供するので、有孔フィンを介して筋交いを取り付けることができる。
【００２０】
請求項７記載の発明によれば、所定の角度で折曲された一方の筒状体の端部が他方の筒状体の側面に固着されている継手を提供するので、一本のパイプに対して、他方のパイプを交差する方向に所定間隔離間して結合することができる。
【００２１】
請求項８記載の発明によれば、筒状体の両端の開口寸法が異なるように形成した継手を提供するので、径の異なる２本のパイプを結合することができる。
【００２２】
請求項９記載の発明によれば、一方の筒状体内に他方の筒状体が摺動自在に設けられる継手を提供するので、２本のパイプを伸縮自在に結合することができる。
【００２３】
請求項１０記載の発明によれば、前記筒状体の端部近傍にピンまたはボルト貫通孔を開穿したので、請求項１乃至９のうちいずれか一に記載の発明の効果に加え、貫通孔を介してピンまたはボルトを貫通させ、ピンまたはボルトによって筒状体内に差し込んだパイプを固着することができる。
【００２４】
請求項１１記載の発明によれば、前記筒状体は、円筒体、又は、角筒体であるので、請求項１乃至１０のうちいずれか一に記載の発明の効果に加え、円筒体、又は、角筒体のパイプを結合することができる。
【００２５】
請求項１２記載の発明によれば、前記請求項１乃至１１に記載の少なくとも１つの継手と、１乃至複数のパイプとを組合わせて構築した構築体であるので、継手と、パイプによって建築物等の比較的複雑な構築体を容易に提供することができる。
【００２６】
請求項１３記載の発明によれば、傘型の構築体を容易に構築できる。この構築体は天井継手及び屋根パイプを覆うシートを設けることにより、日除け、雨除けとして用いることができると共に、装飾品としても用いることができる。
【００２７】
請求項１４記載の発明によれば、傘型の構築体を容易に構築できる。この構築体は天井継手及び屋根パイプを覆うシートを設けることにより、日除け、雨除けとして用いることができると共に、装飾品としても用いることができる。又、傘型の状態から容易に折り畳むことができるので、運搬や、収納が容易である。
【００２８】
請求項１５記載の発明によれば、この構築体に天井継手及び屋根パイプを覆うシートを設けることにより、ゲル｛モンゴルなどの遊牧民が用いる饅頭(まんじゅう)型をした組み立て式の家屋。骨組みを木で作り、その上をフェルトで覆う。｝型の構築体を容易に構築できる。
【００２９】
請求項１６記載の発明によれば、請求項１５と同様な効果が期待できる。更に、本構造体は、側柱が梁パイプで連結されるので、比較的堅固な構造物を構成できる。
【発明を実施するための最良の形態】
【００３０】
以下、実施例を示した図面を参照しつつ本発明の実施の形態を説明する。
図１は、本発明の実施形態の継手を示している。
同図（ａ）及び（ｂ）に於いて、Ａは、一方の筒状体１の側部に他方の筒状体２の端部が所定の角度αで固着されたイの字形継手（貫通スライド式有角度イ型継手）である。
前記継手Ａは、鉄、アルミ、塩化ビニール材、木材等の各種材料を用いて作製するものである。特に、既製の鉄、アルミ、塩化ビニールのパイプを用いて作製すれば、比較的安価に作製できる。尚、以下に述べる他の継手についても同様の材料を使用することができる。
【００３１】
前記継手Ａによれば、２本のパイプ３，４を相互に所定角度傾斜させて結合することができる。
前記継手Ａの所定の角度αは、８０度乃至１５０度のうちのいずれかの角度、好適には、９０度、１２０度、又は、１４０度に設定されるが、その他の角度に設定することも可能である。
前述の設定によって、２本のパイプ３，４を相互に８０度乃至１５０度のうちのいずれかの角度に傾斜させて結合することができる。
【００３２】
同図（ｃ）及び（ｄ）に於いて、Ｂは、所定の角度で折曲された一方の筒状体５の折曲部５ａに他方の筒状体６の端部が固着されている継手（矢印形継手）である。
前記継手Ｂは、２本のパイプ７，８を相互に所定角度傾斜させて結合することができると共に、もう１本のパイプ９を一方の筒状体５の折曲部５ａに結合することができる。即ち、他方の筒状体６にパイプ９を結合できる。
前記継手Ｂの折曲角度は、８０度乃至１５０度のうちのいずれかの角度、好適には、９０度、１２０度、又は、１４０度に設定されるが、その他の角度にすることも可能である。
前述の設定によって、２本のパイプ７，８を相互に８０度乃至１５０度のうちのいずれかの角度に傾斜させて結合することができると共に、もう１本のパイプ９を一方の筒状体の折曲部５ａに結合することができる。即ち、他方の筒状体６にパイプ９を結合できる。
【００３３】
同図（ｅ）及び（ｆ）に於いて、Ｃは、前記継手Ｂの特定の形状であり、一方の筒状体５が９０度の角度で折曲され、他方の筒状体６は、一方の筒状体５の両端方向に対して夫々９０度の角度となるように一方の筒状体５の折曲部５ａに固着されている三叉継手（直角三方向型継手）である。
前記継手Ｃは、２本のパイプ７，８を相互に９０度に傾斜させて結合することができると共に、他の１本のパイプ９を前記２本のパイプ７，８に対して夫々９０度の角度となるように結合することができる。
【００３４】
同図（ｇ）及び（ｈ）に於いて、Ｄは、筒状体１０の側面に筋交い取付け用の有孔フィン１１を設けた継手である。有孔フィン１１には筋交い１２を取付けるための貫通孔１３が開穿されている。前記継手Ｄは、１本のパイプ１４に対して、有孔フィン１１の貫通孔１３を介して筋交い１２を取り付けることができる。
【００３５】
図２は、本発明の他の実施形態の継手を示している。
同図（ａ）及び（ｂ）に於いて、Ｅは、所定の角度で折曲された一方の筒状体２１の端部が他方の筒状体２２の側面に固着されている継手（非貫通部立ち上げ型継手）である。
前記継手Ｅは、一本のパイプ２３に対して、他方のパイプ２４を交差する方向に所定間隔離間して結合することができる。
【００３６】
同図（ｃ）及び（ｄ）に於いて、Ｆは、筒状体２５の両端の開口寸法が異なるように形成した継手（段差落とし継手）である。
前記継手Ｆは、径の異なる２本のパイプ２６，２７を結合することができる。
【００３７】
同図（ｅ）及び（ｆ）に於いて、Ｇは、一方の筒状体２８内に他方の筒状体２９が摺動自在に設けられる継手である。
前記継手Ｇは、２本のパイプ３０，３１を伸縮自在に結合することができる。
【００３８】
同図（ｇ）及び（ｈ）に於いて、Ｈは、前記継手Ｇの変形であり、一方の筒状体２８内に他方の筒状体２９が摺動自在に設けられ、他方の筒状体２９内に、更に別の筒状体３２が摺動自在に設けられ、一方の筒状体２８の両側部に他の２つの筒状体３３，３４の端部が固着され、筒状体２８と筒状体３３，３４とは平面視十字形状に形成されたものである。
【００３９】
前記継手Ｈは、筒状体２８と、筒状体３２とに夫々挿入した２本のパイプ３５，３６を伸縮自在に結合することができると共に、筒状体３３，３４に挿入したパイプ３７，３８をパイプ３５，３６と直角方向に結合することができる。
【００４０】
図３は、従来例の継手を示しているが、本発明の構築体の組立て工法に於いて、前記継手Ａ〜Ｈと共に、適宜使用されるものである。
同図（ａ）及び（ｂ）に於いて、Ｊは、１本の筒状体５１が９０度の角度で折曲された継手（直角二方向型継手）である。
前記継手Ｊは、２本のパイプ５２，５３を９０度の角度で結合することができるものである。
【００４１】
同図（ｃ）及び（ｄ）に於いて、Ｋは、一方の筒状体５４の側部に他方の筒状体５５の端部が９０度の角度で結合された継手（直角Ｔ字型継手）である。
前記継手Ｋは、筒状体５４、５５に夫々挿入された２本のパイプ５６，５７を９０度の角度で結合することができるものである。
【００４２】
同図（ｅ）及び（ｆ）に於いて、Ｌは、一方の筒状体５８の側面と他方の筒状体５９の側面とが９０度の角度で結合された継手（直角十字型継手）である。
前記継手Ｌは、筒状体５８、５９に夫々挿入された４本のパイプ６０，６１，６２，６３を十字状に結合することができるものである。或いは、筒状体５８又は５９の一方に一本のパイプを貫通させれば、３本のパイプを十字状に結合することができる。
【００４３】
同図（ｇ）及び（ｈ）に於いて、Ｍは、１本の筒状体６４が所定の角度αで折曲された継手（へ字型継手）である。
前記継手Ｍは、筒状体６４の両端に夫々挿入された２本のパイプ６５，６６を所定の角度αで結合することができるものである。
【００４４】
図４は、本発明の継手及び従来例の継手の筒状体が円筒状であったものを、角型筒状体としたものであり、図示しない角型パイプを結合することができる。
継手Ｎは、継手Ｋの筒状体を角型筒状体としたものである。
継手Ｏは、継手Ｍの筒状体を角型筒状体としたものである。
継手Ｐは、継手Ｇの筒状体を角型筒状体としたものである。
継手Ｑは、継手Ｈの筒状体を角型筒状体としたものである。
又、図示は省略するが、前記継手Ｋ，Ｍ，Ｇ，Ｈ以外の継手Ａ〜Ｆ、Ｊ，Ｌについても筒状体を角型筒状体とすることは可能である。
【００４５】
尚、前記継手Ａ〜Ｈ，Ｊ〜Ｍ，Ｎ〜Ｑは、パイプを挿入する端部近傍にピンまたはボルト貫通孔４０が開穿されており、図示しないピンまたはボルトによって、筒状体とパイプとを固着できるように形成されている。但し、筒状体とパイプとは、相互にネジ、或いは、接着剤等で固着されても良い。
【００４６】
図５は、前記継手Ｂ，Ａ，Ｍを使用して構築体ユニットを構築する方法を示している。
同図（ａ）は、円筒体５の折曲角度が１４０度に形成された継手Ｂと、継手Ｂに対応する継手Ａと、継手Ｍとを組合せて構築体ユニットを構築する方法を示しており、夫々の継手間に図示しないパイプが図中２点鎖線方向に結合される。
【００４７】
同図（ｂ）は、円筒体５の折曲角度が１２０度に形成された継手Ｂと、継手Ｂに対応する継手Ａと、継手Ｍとを組合せて構築体ユニットを構築する方法を示している。
同図（ｃ）は、円筒体５の折曲角度が９０度に形成された継手Ｂと、継手Ｂに対応する継手Ａとを組合せて構築体ユニットを構築する方法を示している。
前記継手Ｂの折曲角度は、前述の例に限定されず、８０度乃至１５０度のうちのいずれかの角度に設定することができる。
【００４８】
図６は、本発明の第１実施例の継手を用いた構築体７０を示し、前記継手Ａ〜Ｈ，Ｊ〜Ｍ，Ｎ〜Ｑのうちの適宜継手と、複数の直線状パイプと、筋交いを使用して、両屋根式の建築増築部分となる構築体７０の組立ての一例を示す斜視図である。尚、図６は構築体７０の組立ての一部を示したものであり、又、同じ種類の継手を複数使った場合は、説明のために、継手の符号に付番を付して、例えば、継手Ａを、継手Ａ１，Ａ２…の如く区別して記載する。
【００４９】
先ず、継手Ａ１に直線状パイプ７１及び７２を組み付けて「イ」型の構造部材を組立てる。同様に、継手Ａ２に直線状パイプ７３及び７４を組み付けて「イ」型の構造部材を組立てる。
組立てた前記「イ」型の構造部材を左右拝み合わせに上端を継手Ｍ１により接続固定して、鳥居形状のユニットを組立てる。
前記鳥居形状のユニットを複数個組立て（例えば、次の鳥居形状のユニットは、継手Ａ３，パイプ７５，パイプ７６，継手Ａ４，パイプ７７，パイプ７８、継手Ｍ２で組み立てられる。）、複数の前記鳥居形状のユニットを所定間隔離間させて順次整列させ、これらの両側上端部を継手Ｋ１，Ｋ２，Ｋ３，Ｋ４…とパイプ８１，８２，８３…等を用いて連結し、下端部を継手Ｃ１，Ｊ１，パイプ９１，９２，９３等を用いて連結する。
【００５０】
この時、前記パイプ７２，７４，７６，７８には、筋交い１０１，１０２等を取付けるための継手Ｄ１，Ｄ２，Ｄ３，Ｄ４や、補強のための継手Ｋ５等を取付ける。
これによって、四方壁面、屋根二勾配面を持つ骨組みが略出来上がるので、更に、庇周りを継手Ｊ１，継手Ｅ，パイプ１１１、Ｊ２等で整え、壁面部の継手Ｋ５にパイプ１２１を組立てて補強し、継手Ｄ１，Ｄ２，Ｄ３，Ｄ４に筋交い１０１，１０２等を取付ける。
その他、必要に応じ、適宜継手、パイプを用いて構築体７０を組立て完成させる。
【００５１】
前記構築体７０と同様に、前記継手Ａ〜Ｈ，Ｊ〜Ｍ，Ｎ〜Ｑの適宜継手と、複数の直線状パイプと、筋交いを使用すれば、ガレージ、作業収納小屋、温室等の小規模構築体を簡単に組立てることができる。
【００５２】
図７は、本発明の第２実施例の継手を用いた構築体１５０を示し、構築体１５０は、円筒状又は丸棒状の支柱１５１と、支柱１５１の上端を下端から挿着させる中央パイプ１５２と中央パイプ１５２の上端から所定角度を有して斜め下方に向かって放射状に延出する複数本の枝パイプ１５３，１５３…とが一体に形成された天井継手１５４と、枝パイプ１５３，１５３…に上端を挿着させて放射方向に延びる複数本の屋根パイプ１５５，１５５…と、屋根パイプ１５５を貫通させる貫通パイプ１５６と貫通パイプ１５６の周面に所定角度を有して上端を固着された下部パイプ１５７とが一体に形成されたＴ字形継手１５８とを備え、更に、支柱１５１を貫通させる中央パイプ１５９と、中央パイプ１５９の周面から所定角度を有して斜め上方に向かって放射状に延出する複数本の枝パイプ１６０，１６０…とが一体に形成された支え継手１６１と、Ｔ字形継手１５８の下部パイプ１５７に上端を挿着し、支え継手１６１の枝パイプ１６０に下端を挿着される支持パイプ１６２と、支柱１５１に設けられ、支え継手１６１を支柱１５１の所定位置に保持するストッパー１６３とを備えたものである。尚、図に於いて１６４は支柱１５１を起立状態に保持する基台である。
【００５３】
前記構築体１５０は、全体として傘型に構築され、前記天井継手１５４が天井中央部に位置し、複数の屋根パイプ１５５，１５５…が垂木の如き機能を果たし屋根部を構成する。屋根パイプ１５５はＴ字形継手１５８を介して支持パイプ１６２で支持され、支持パイプ１６２は、支え継手１６１で支えられる。
【００５４】
前記天井継手１５４、Ｔ字形継手１５８及び支え継手１６１は、例えば、射出成形品として夫々一体に成型される。
前記継手とパイプとの結合は、継手とパイプとの嵌合圧力を利用して結合させ、分解も可能な構造とするが、構築体１５０を分解する必要がない場合は、前記継手とパイプとの結合に接着剤、ネジ又はピン等を用いて結合を強化しても良い。
前記ストッパー１６３は、例えば、支柱１５１の軸方向に直交して開穿された貫通孔内に着脱自在に装着される棒体或いはピンから成るが、支え継手１６１を支柱１５１の所定位置に保持自在であれば、他の構成であっても良い。
【００５５】
前記第２実施例の継手を用いた構築体１５０によって、傘型の構築体を容易に構築できる。この構築体１５０は天井継手１５４及び屋根パイプ１５５を覆う二点鎖線で示す樹脂製或いは布製のシート１６５を設けることにより、日除け、雨除けとして用いることができると共に、装飾品としても用いることができる。
【００５６】
図８は、本発明の第３実施例の継手を用いた構築体１８０を示し、構築体１８０は、円筒状又は丸棒状の支柱１８１と、支柱１８１の上端に固着される天井部材１８２と、天井部材１８２に上端を揺動自在に固着され、揺動して開いた時、支柱１８１に対して所定角度を有して斜め下方に放射方向に延びる複数本の屋根パイプ１８３，１８３…と、屋根パイプ１８３を貫通させる貫通パイプ１８４と貫通パイプ１８４の周面に上端を揺動自在に固着された下部パイプ１８５とからなるＴ字形揺動継手１８６とを備え、更に、支柱１８１に摺動自在に設けられる摺動体１８７と、摺動体１８７に下端を揺動自在に固着され、下部パイプ１８５に上端を挿着される支持パイプ１８８と、支柱１８１に設けられ、摺動体１８７を支柱１８１の所定位置に保持するストッパー１８９とを備え、摺動体１８７を摺動させることにより、屋根パイプ１８３を開閉自在に構成したものである。尚、図に於いて１９０は支柱１８１を起立状態に保持する基台である。
【００５７】
前記構築体１８０は、全体として傘型に構築され、前記天井部材１８２が天井中央部に位置し、屋根パイプ１８３が垂木の如き機能を果たし屋根部を構成する。屋根パイプ１８３はＴ字形揺動継手１８６を介して支持パイプ１８８で支持され、支持パイプ１８８は、摺動体１８７に支えられる。
前記天井部材１８２及び摺動体１８７は、例えば、射出成形品として夫々一体に成型された後、屋根パイプ１８３、支持パイプ１８８を夫々揺動自在に固着する加工が行なわれる。尚、屋根パイプ１８３又は支持パイプ１８８の先端部をそのまま天井部材１８２又は摺動体１８７に揺動自在に取付けてもよいが、屋根パイプ１８３又は支持パイプ１８８の先端部に円滑に揺動させるための揺動部品を設けても良い。
前記下部パイプ１８５と支持パイプ１８８とは、接着剤、ネジ又はピン等を用いて結合する。
前記ストッパー１８９は、例えば、支柱１８１の軸方向に直交して開穿された貫通孔内に着脱自在に装着される棒体或いはピンから成るが、摺動体１８７を支柱１８１の所定位置に保持自在であれば、他の構成であっても良い。
【００５８】
前記構築体１８０は、前記ストッパー１８９を外し、摺動体１８７を支柱１８１の下方に向かって摺動させると、支持パイプ１８８の下端が下方に誘導され、Ｔ字形揺動継手１８６の下部パイプ１８５が揺動し、Ｔ字形揺動継手１８６が下方に移動することにより、屋根パイプ１８３が、天井部材１８２を回転中心として下方に揺動し、屋根パイプ１８３を折り畳むことができる。
【００５９】
前記第３実施例の継手を用いた構築体１８０によって、傘型の構築体を容易に構築できる。この構築体１８０は天井部材１８２及び屋根パイプ１８３を覆う２点鎖線で示す樹脂製或いは布製のシート１９１を設けることにより、日除け、雨除けとして用いることができると共に、装飾品としても用いることができる。又、傘型の状態から容易にコンパクトに折り畳むことができるので、運搬や、収納が容易である。
【００６０】
図９は、本発明の第４実施例の継手を用いた構築体２００を示し、構築体２００は、円筒状又は丸棒状の支柱２０１と、支柱２０１の上端を下端から挿着させる中央パイプ２０２と中央パイプ２０２の上端から所定角度を有して斜め下方に向かって放射状に延出する複数本の枝パイプ２０３，２０３…とが一体に形成された天井継手２０４と、枝パイプ２０３に上端を挿着させて放射方向に延びる複数本の屋根パイプ２０５，２０５…と、屋根パイプ２０５を貫通させる貫通パイプ２０６と貫通パイプ２０６の周面に所定角度を有して上端を固着された下部パイプ２０７とが一体に形成されたＴ字形継手２０８とを備え、更に、支柱２０１を貫通させる中央パイプ２０９と、中央パイプ２０９の周面から所定角度を有して斜め上方に向かって放射状に延出する複数本の枝パイプ２１０，２１０…とが一体に形成された支え継手２１１と、Ｔ字形継手２０８の下部パイプ２０７に上端を挿着し、支え継手２１１の枝パイプ２１０に下端を挿着される支持パイプ２１２と、支柱２０１に設けられ、支え継手２１１を支柱２０１の所定位置に保持するストッパー２１３と、屋根パイプ２０５の下端部を上端部から挿着させる上部パイプ２１４と上部パイプ２１４の下端部に所定角度を有して下方向に延びる下部パイプ２１５とが一体に形成された屋根先端継手２１６と、屋根先端継手２１６に上端部が挿着される複数の側柱２１７，２１７…とを備えたものである。
【００６１】
前記構築体２００は、天井継手２０４及び屋根パイプ２０５を覆う二点鎖線で示す樹脂製或いは布製のシート２１８を設けることにより、ゲル｛モンゴルなどの遊牧民が用いる饅頭(まんじゅう)型をした組み立て式の家屋。骨組みを木で作り、その上をフェルトで覆う。｝型に構築され、前記天井継手２０４が天井中央部に位置し、屋根パイプ２０５が垂木の如き機能を果たし屋根部を構成し、屋根先端継手２１６が屋根先端部を構成する。屋根パイプ２０５はＴ字形継手２０８を介して支持パイプ２１２で支持されると共に、側柱２１７で支持され、支持パイプ２１２は、支え継手２１１によって支えられる。
【００６２】
前記天井継手２０４及び支え継手２１１は、例えば、射出成形品として夫々一体に成型される。前記継手とパイプとの結合は、継手とパイプとの嵌合圧を利用して結合させ、分解も可能な構造とするが、構築体２００を分解する必要がない場合は、前記継手とパイプとの結合に接着剤、ネジ又はピン等を用いて結合を強化しても良い。
【００６３】
前記第４実施例の継手を用いた構築体２００によると、この構築体２００に天井継手２０４及び屋根パイプ２０５を覆うシート２１８を設けることにより、ゲル型の構築体を容易に構築できる。
【００６４】
図１０は、本発明の第５実施例の継手を用いた構築体２３０を示し、構築体２３０は、円筒状又は丸棒状の支柱２３１と、支柱２３１の上端を下端から挿着させる中央パイプ２３２と中央パイプ２３２の上端から所定角度を有して斜め下方に向かって放射状に延出する複数本の枝パイプ２３３，２３３…とが一体に形成された天井継手２３４と、枝パイプ２３３に上端を挿着させて放射方向に延びる複数本の屋根パイプ２３５とを備え、更に、屋根パイプ２３５の下端部を上端部から挿着させる上部パイプ２３６と上部パイプ２３６の下端部に所定角度を有して下方向に延びる下部パイプ２３７と水平方向に延びる左右パイプ２３８，２３９とが一体に形成された屋根先端継手２４０と、屋根先端継手２４０に上端部が挿着される複数の側柱２４１，２４１…と、隣接する屋根先端継手２４１，２４１の左右パイプ２３８，２３９に両端が挿着される梁パイプ２４２とを備えたものである。
【００６５】
前記構築体２３０は、天井継手２３４及び屋根パイプ２３５を覆う二点鎖線で示す樹脂製或いは布製のシート２４３を設けることにより、ゲル型に構築され、前記天井継手２３４が天井中央部に位置し、屋根パイプ２３５が垂木の如き機能を果たし屋根部を構成し、屋根先端継手２４０が屋根先端部を構成する。屋根パイプ２３５の屋根先端側は側柱２４１で支えられる。
【００６６】
前記天井継手２３４及び屋根先端継手２４０は、例えば、射出成形品として夫々一体に成型される。前記継手とパイプとの結合は、継手とパイプとの嵌合圧を利用して結合させ、分解も可能な構造とするが、構築体２３０を分解する必要がない場合は、前記継手とパイプとの結合に接着剤、ネジ又はピン等を用いて結合を強化しても良い。
【００６７】
前記第５実施例の継手を用いた構築体２３０によると、この構築体２３０に天井継手２３４及び屋根パイプ２３５を覆うシート２４３を設けることにより、ゲル型の構築体を容易に構築できる。
【００６８】
前記構築体２３０も前記構築体２００と同様な効果が期待できる。又、本構築体２３０は、側柱２４１が梁パイプ２４２によって相互に連結されるので、比較的堅固な構造物を構成できる。
【図面の簡単な説明】
【００６９】
【図１】（ａ）本発明による継手Ａの正面図である。（ｂ）本発明による継手Ａの斜視図である。（ｃ）本発明による継手Ｂの正面図である。（ｄ）本発明による継手Ｂの斜視図である。（ｅ）本発明による継手Ｃの平面図である。（ｆ）本発明による継手Ｃの斜視図である。（ｇ）本発明による継手Ｄの正面図である。（ｈ）本発明による継手Ｄの斜視図である。
【図２】（ａ）本発明による継手Ｅの平面図である。（ｂ）本発明による継手Ｅの斜視図である。（ｃ）本発明による継手Ｆの平面図である。（ｄ）本発明による継手Ｆの斜視図である。（ｅ）本発明による継手Ｇの平面図である。（ｆ）本発明による継手Ｇの斜視図である。（ｇ）本発明による継手Ｈの平面図である。（ｈ）本発明による継手Ｈの斜視図である。
【図３】（ａ）従来例による継手Ｊの正面図である。（ｂ）従来例による継手Ｊの斜視図である。（ｃ）従来例による継手Ｋの平面図である。（ｄ）従来例による継手Ｋの斜視図である。（ｅ）従来例による継手Ｌの正面図である。（ｆ）従来例による継手Ｌの斜視図である。（ｇ）従来例による継手Ｍの正面図である。（ｈ）従来例による継手Ｍの斜視図である。
【図４】（ａ）本発明による継手Ｎの斜視図である。（ｂ）本発明による継手Ｏの斜視図である。（ｃ）本発明による継手Ｐの斜視図である。（ｄ）本発明による継手Ｑの斜視図である。
【図５】（ａ）本発明による１４０度の角度に折曲された継手Ｂと、継手Ｂに対応する継手Ａと、継手Ｍを使用して構築体ユニットを構築する説明図である。（ｂ）本発明による１２０度の角度に折曲された継手Ｂと、継手Ｂに対応する継手Ａと、継手Ｍを使用して構築体ユニットを構築する説明図である。（ｃ）本発明による９０度の角度に折曲された継手Ｂと、継手Ｂに対応する継手Ａを使用して構築体ユニットを構築する説明図である。
【図６】本発明による第１実施例の継手を用いた構築体の斜視図である。
【図７】本発明による第２実施例の継手を用いた構築体の正面図である。
【図８】本発明による第３実施例の継手を用いた構築体の正面図である。
【図９】本発明による第４実施例の継手を用いた構築体の正面図である。
【図１０】本発明による第５実施例の継手を用いた構築体の正面図である。
【符号の説明】
【００７０】
１，２，５，６，１０，２１，２２，２５，２８，２９，３２  筒状体
５ａ  折曲部
１１  有孔フィン
４０  貫通孔
７０  構築体
１５０，１８０，２００，２３０  構築体
１５１，１８１，２０１，２３１  支柱
１５２，１５９，２０２，２０９，２３２  中央パイプ
１５３，１６０，２０３，２１０，２３３  枝パイプ
１５４，２０４，２３４  天井継手
１５５，１８３，２０５，２３５  屋根パイプ
１５６，１８４，２０６  貫通パイプ
１５７，１８５，２０７，２１５，２３７  下部パイプ
１５８，２０８  Ｔ字形継手
１８６  Ｔ字形揺動継手
１６１，２１１  支え継手
１６２，１８８，２１２  支持パイプ
１６３，１８９，２１３  ストッパー
１８２  天井部材
１８７  摺動体
２１４，２３６  上部パイプ
２１６，２４０  屋根先端継手
２１７，２４１  側柱
２３８  左パイプ
２３９  右パイプ
２４２  梁パイプ
Ａ，Ｂ，Ｃ，Ｄ，Ｅ，Ｆ，Ｇ，Ｈ  継手
【図１】
2008019701.tif 000003
【図２】
2008019701.tif 000004
【図３】
2008019701.tif 000005
【図４】
2008019701.tif 000006
【図５】
2008019701.tif 000007
【図６】
2008019701.tif 000008
【図７】
2008019701.tif 000009
【図８】
2008019701.tif 000010
【図９】
2008019701.tif 000011
【図１０】
2008019701.tif 000012